(57)【要約】医療用インプラントの安定性を検出するための方法例が提供される。本方法は、（ａ）医療用インプラントにプローブで力を加えること、（ｂ）加えられた力に基づいて、医療用インプラントの振動と関連付けられた応答信号を判断すること、（ｃ）判断された応答信号を医療用インプラントのコンピュータモデルと比較すること、および（ｄ）比較に基づいて、医療用インプラントの角度剛性係数を判断することであって、角度剛性係数は医療用インプラントの安定性を示すこと、を含む。【選択図】図２４
2020515311.tif 000002
【特許請求の範囲】
【請求項１】
医療用インプラントの安定性を検出するための方法であって、
前記医療用インプラントにプローブで力を加えることと、
前記加えられた力に基づいて、前記医療用インプラントの振動と関連付けられた応答信号を判断することと、
前記判断された応答信号を前記医療用インプラントのコンピュータモデルと比較することと、
前記比較に基づいて、前記医療用インプラントの角度剛性係数を判断することであって、前記角度剛性係数は前記医療用インプラントの安定性を示す、角度剛性係数を判断することと
を含む、方法。
【請求項２】
前記力を前記医療用インプラントに加えることは、前記医療用インプラントを励起して振動させる駆動信号を生成することを含み、前記応答信号は、前記駆動信号に応答した前記医療用インプラントの前記励起された振動に基づく、請求項１に記載の方法。
【請求項３】
前記力を前記医療用インプラントに加えることは、振動力を前記医療用インプラントに加えることを含み、前記応答信号は、前記振動力に応答した前記医療用インプラントの動きに基づく、請求項１〜２のいずれか１項に記載の方法。
【請求項４】
前記医療用インプラントの前記振動と関連付けられた前記応答信号は、自然周波数値を含む、請求項１〜３のいずれか１項に記載の方法。
【請求項５】
前記医療用インプラントの前記振動と関連付けられた前記応答信号は、線形剛性係数を含む、請求項１〜４のいずれか１項に記載の方法。
【請求項６】
前記コンピュータモデルは、前記医療用インプラントの有限要素モデルである、請求項１〜５のいずれか１項に記載の方法。
【請求項７】
前記応答信号は、１つ以上の力センサーおよび／または振動計によって検出される、請求項１〜６のいずれか１項に記載の方法。
【請求項８】
前記医療用インプラントは、前記医療用インプラントの第１の表面から、前記第１の表面の反対側の第２の表面まで延出する縦軸を含み、前記医療用インプラントは、前記縦軸に垂直な第２の軸を含み、かつ前記角度剛性係数は、前記医療用インプラントの前記第２の軸に関する回転の剛性に対応する、請求項１〜７のいずれか１項に記載の方法。
【請求項９】
前記医療用インプラントの前記第２の表面は骨内に移植され、前記医療用インプラントの前記第１の表面は露出されて、前記骨に直接連結されていない、請求項８に記載の方法。
【請求項１０】
前記医療用インプラントは、歯科インプラント、歯科クラウン、歯科修復、骨スクリュー、プレート、股関節インプラント、または膝インプラントの１つを含む、請求項１〜９のいずれか１項に記載の方法。
【請求項１１】
アバットメントを前記医療用インプラントに取り外し可能に連結することをさらに含み、前記力は、前記力を前記アバットメントに加えることにより、前記医療用インプラントに間接的に加えられる、請求項１〜１０のいずれか１項に記載の方法。
【請求項１２】
前記医療用インプラントが安定しているか否の二値指標を提供することをさらに含む、請求項１〜１１のいずれか１項に記載の方法。
【請求項１３】
前記医療用インプラントの前記判断された角度剛性係数に基づき前記医療用インプラントの安定性の程度の通知を提供することをさらに含む、請求項１〜１２のいずれか１項に記載の方法。
【請求項１４】
命令がその上に格納されている持続性コンピュータ可読媒体であって、前記命令は、コンピューティング装置の１つ以上のプロセッサによって実行される場合に、前記コンピューティング装置に、請求項１〜１３のいずれか１項の前記方法ステップを含む機能を実行させる、持続性コンピュータ可読媒体。
【請求項１５】
医療用インプラントの安定性を検出するためのシステムであって、
前記医療用インプラントに加えられた力に応答して、前記医療用インプラントの振動と関連付けられた応答信号を検出するように構成されたプローブと、
前記プローブと通信するコンピューティング装置であって、
前記判断された応答信号を前記医療用インプラントのコンピュータモデルと比較することと、
前記比較に基づいて、前記医療用インプラントの角度剛性係数を判断することであって、前記角度剛性係数は前記医療用インプラントの安定性を示す、角度剛性係数を判断することと
を行うように構成される、コンピューティン装置と
を備える、システム。
【請求項１６】
前記コンピュータシステムは、前記医療用インプラントを励起して振動させるために前記プローブによって前記医療用インプラントに加えられる駆動信号を生成するように構成され、かつ前記応答信号は、前記駆動信号に応答した前記医療用インプラントの前記励起された振動に基づく、請求項１５に記載のシステム。
【請求項１７】
前記プローブは、振動力を前記医療用インプラントに加えるように構成され、かつ前記応答信号は前記加えられた振動力に応答した前記医療用インプラントの動きに対応する、請求項１５〜１６のいずれか１項に記載のシステム。
【請求項１８】
プローブは、負荷センサーおよび振動センサーを含む、請求項１５〜１７のいずれか１項に記載のシステム。
【請求項１９】
前記負荷センサーは圧電センサーであり、かつ／または前記振動センサーは光学センサーである、請求項１８に記載のシステム。
【請求項２０】
前記プローブは、
前記プローブの遠位端における第１の表面上のトランスデューサと、
前記プローブに物理的に連結されて、前記第１の表面から間隙を空けて向かい合った、第２の表面を提供する支持構造であって、前記プローブは前記第１の表面と第２の表面との間に前記医療用インプラントを受け入れるようにさらに成形される、支持構造と
を備える、請求項１５〜１９のいずれか１項に記載のシステム。
【請求項２１】
前記プローブは、少なくとも２つの部分を有する角度トランスデューサを含み、各部分は、約７０度〜約１１０度の間の角度で別の部分に連結されて、前記医療用インプラントが前記結合された部分の間に受け入れられ得るようになる、請求項１５〜２０のいずれか１項に記載のシステム。
【請求項２２】
前記プローブは、前記プローブの遠位端における第１の表面上にトランスデューサを含み、前記トランスデューサは、機械力を前記医療用インプラントに印加して、前記機械力に応答した前記医療用インプラントの動きを検出し、前記応答信号は、前記検出された動きに基づいて判断される、請求項１５〜２１のいずれか１項に記載のシステム。
【請求項２３】
前記プローブは、前記プローブの遠位端における前記プローブの第１の表面上に位置付けられた第１のトランスデューサおよび第２のトランスデューサを含み、前記コンピュータシステムは、前記応答信号を生成するために前記第１のトランスデューサおよび前記第２のトランスデューサを位相を異にして駆動するようにさらに構成される、請求項１５〜２２のいずれか１項に記載のシステム。
【請求項２４】
前記コンピューティング装置は、請求項１〜１３のいずれか１項の前記方法ステップを含む機能を実行するように構成される、請求項１５〜２２のいずれか１項に記載のシステム。
【発明の詳細な説明】
【技術分野】
【０００１】
関連出願の相互参照
本出願は２０１７年３月１０日に出願された米国仮特許出願第６２／４６９，８５４号に対する優先権を主張し、その内容は全体として参照により本明細書に組み込まれる。
【背景技術】
【０００２】
本明細書で別段の指示がない限り、本節で記述する事柄は本出願におけるクレームに対する従来技術ではなく、本節に含めることによって従来技術であると認めるものではない。
【０００３】
医療用インプラントは、様々な医療処置で一般的に使用される。特に一般的な１つの医療用インプラントは歯科インプラントである。歯科インプラントは、歯を置換するために広く使用されており、歯構造の信頼性、長命、および保存のために選択される処置と考えられる。設置された歯科インプラントの数は過去１０年にわたって著しく成長している。米国インプラント歯科学会によれば、推定５００，０００の歯科インプラントが毎年設置されており、米国だけでおよそ３百万人が歯科インプラントを有している。初期固定が、歯科インプラント治療の成功における大きな要因である。初期固定は、インプラントの周囲の骨構造への機械的な連結によって作り出される。二次固定は、骨結合として知られている、規則正しい、生きている骨細胞とインプラントとの間の直接構造的、機能的および生物学的な結合である。十分な初期固定を達成することが、効果的な二次固定につながる重要な要因である。
【０００４】
インプラントの重要な指標としての歯科インプラントの安定性の健康評価は、臨床医にとって最も困難な手順の１つであることがわかっている。歯科インプラントの安定性に関して非常に多くの研究が行われてきたが、まだ、測定基準に対して利用可能な基準はない。Ｘ線写真は、インプラントの臨床評価のために最も一般的に使用される方法であるが、それらは通常２次元であり、インプラント状態の部分的表現だけを提供する。別の一般的で簡単な技法は、臨床医がインプラントを金属器具で軽くたたくだけの打診法である。鈍いゴツンという音は潜在的に欠陥があるインプラント（ｃｏｍｐｒｏｍｉｓｅｄ  ｉｍｐｌａｎｔ）である。この技法は、極めて主観的である。
【０００５】
それ故、歯科インプラントの安定性において小さな変化を検出可能な高レベルの感度を備えた非侵襲的装置に対する大きな臨床的必要性がある。インプラント安定性においてさらに小さい変化の測定を得意とする装置は、様々な方法で有用であり、骨結合の成功に向けた治癒の様々な段階における評価、重大診断および治療計画支援を含め、インプラントをいつ装填すべきかに関する判断プロセスおよび定期検査でのインプラント状態のモニタリングを容易にする。
【０００６】
インプラントの安定性を評価するために使用されるいくつかの現在の非侵襲的装置は、インプラント−骨系の共振周波数の測定に基づく。第１に、これらの装置はインプラント−骨界面における剛性を測定しないが、それはインプラントの安定性を決定するものである。第２に、これらの試験は多くの場合、アバットメントまたは試験装置に連結されたインプラントで実行される。これらの連結された構成要素は、骨−インプラント系の測定された周波数に著しく影響を及ぼし得る。第３に、測定データは、材料特性の多様性、アバットメントねじとの部分の不十分な連結、または境界条件などの理由のために、散乱して不確定であり得る。そのため、上で概説した問題に対処する医療用インプラントの安定性を測定および評価する改善された方法およびシステムが望ましいであろう。
【発明の概要】
【課題を解決するための手段】
【０００７】
本明細書では、医療用インプラントの安定性を測定および評価するための方法およびシステム例が説明される。第１の態様では、医療用インプラントの安定性を検出するための方法が提供される。本方法は、（ａ）医療用インプラントにプローブで力を加えること、（ｂ）加えられた力に基づいて、医療用インプラントの振動と関連付けられた応答信号を判断すること、（ｃ）判断された応答信号を医療用インプラントのコンピュータモデルと比較すること、および（ｄ）比較に基づいて、医療用インプラントの角度剛性係数を判断することであって、角度剛性係数は医療用インプラントの安定性を示すこと、を含む。
【０００８】
第２の態様では、医療用インプラントの安定性を検出するためのシステムが提供される。本システムは、（ａ）医療用インプラントに加えられた力に応答して医療用インプラントの振動と関連付けられた応答信号を検出するように構成されたプローブ、および（ｂ）プローブと通信するコンピューティング装置を含む。コンピューティン装置は（ｉ）判断された応答信号を医療用インプラントのコンピュータモデルと比較すること、および（ｉｉ）比較に基づいて、医療用インプラントの角度剛性係数を判断することであって、角度剛性係数は医療用インプラントの安定性を示すこと、を行うように構成される。
【０００９】
第３の態様では、命令がその上に格納されている持続性コンピュータ可読媒体が提供され、本命令は、コンピューティング装置の１つ以上のプロセッサによって実行される場合に、コンピューティング装置に機能を実行させる。機能は、（ａ）医療用インプラントに力を加えること、（ｂ）加えられた力に基づいて、医療用インプラントの振動と関連付けられた応答信号を判断すること、（ｃ）判断された応答信号を医療用インプラントのコンピュータモデルと比較すること、および（ｄ）比較に基づいて、医療用インプラントの角度剛性係数を判断することであって、角度剛性係数は医療用インプラントの安定性を示すこと、を含む。
【００１０】
これらならびに他の態様、利点、および代替は、必要に応じて添付の図面を参照して、以下の詳細な説明を読むことにより、当業者には明らかになるであろう。
【図面の簡単な説明】
【００１１】
【図１】実施形態例に従った、システムの簡略化ブロック図である。
【図２】実施形態例に従った、方法を例示する簡略化流れ図である。
【図３】実施形態例に従った、線形剛性推定例のグラフである。
【図４】実施形態例に従った、医療用インプラントの有限要素モデルにおいて角度剛性を予測するために加えられたモーメント例である。
【図５】実施形態例に従った、医療用インプラントの自然周波数対インプラント長のグラフである。
【図６】実施形態例に従った、医療用インプラントの線形剛性対インプラント長のグラフである。
【図７】実施形態例に従い、抽出された線形剛性係数の変動を示している再現性結果のグラフである。
【図８】実施形態例に従い、線形剛性係数と比較した剛性の有限要素解析的予測を示すグラフである。
【図９】実施形態例に従い、角度剛性係数と比較した剛性の有限要素解析的予測を示すグラフである。
【図１０】実施形態例に従い、自然周波数と比較した剛性の有限要素解析的予測を示すグラフである。
【図１１】実施形態例に従い、線形剛性係数と比較した剛性の有限要素解析的予測を示すグラフである。
【図１２】実施形態例に従い、角度剛性係数と比較した剛性の有限要素解析的予測を示すグラフである。
【図１３】実施形態例に従った、歯科インプラントの簡略化モデルを例示する。
【図１４】実施形態例に従い、歯科インプラントを試験するためのモード解析用の実験装置である。
【図１５Ａ】実施形態例に従い、ブロックに埋め込まれた歯科インプラントの３次元有限要素モデルである。
【図１５Ｂ】実施形態例に従った、図１５Ａの歯科インプラントの２次元垂直断面図である。
【図１６】実施形態例に従い、異なる密度のブロックに対して測定された平均Ｏｓｔｅｌｌ  ＩＳＱ（登録商標）を示すグラフである。
【図１７】実施形態例に従い、異なる密度のブロックに対して測定されたＰｅｒｉｏｔｅｓｔ（登録商標）値（ＰＴＶ）を示すグラフである。
【図１８Ａ】実施形態例に従い、第１の振動モードでブロックに埋め込まれた歯科インプラントの３次元有限要素モデルである。
【図１８Ｂ】実施形態例に従った、第２の振動モードにおける図１８Ａの歯科インプラントの３次元有限要素モデルである。
【図１８Ｃ】実施形態例に従った、第３の振動モードにおける図１８Ａの歯科インプラントの３次元有限要素モデルである。
【図１９】実施形態例に従い、歯科インプラントの振動に基づく自然周波数の有限要素解析的予測を示すグラフである。
【図２０】実施形態例に従った、アバットメント−歯科インプラント系の周波数応答関数を示すグラフである。
【図２１】実施形態例に従った、実験モード解析からの測定された自然周波数結果を示すグラフである。
【図２２】実施形態例に従い、医療用インプラントの振動と関連付けられた応答信号を検出するように構成されたプローブを例示する。
【図２３】実施形態例に従い、医療用インプラントの振動と関連付けられた応答信号を検出するように構成された別のプローブを例示する。
【図２４】実施形態例に従い、医療用インプラントの振動と関連付けられた応答信号を検出するように構成された別のプローブを例示する。
【図２５】実施形態例に従い、医療用インプラントの振動と関連付けられた応答信号を検出するように構成された別のプローブを例示する。
【図２６】実施形態例に従い、医療用インプラントの振動と関連付けられた応答信号を検出するように構成された別のプローブを例示する。
【図２７】実施形態例に従い、医療用インプラントの振動と関連付けられた応答信号を検出するように構成された別のプローブを例示する。
【図２８】実施形態例に従って構成されたコンピュータ可読媒体を示す。
【発明を実施するための形態】
【００１２】
方法およびシステム例が本明細書で説明される。用語「例」および「例示的な」は本明細書では、「例、事例または実例として役立つこと」を意味するために使用されることを理解すべきである。本明細書で「例」または「例示的」であるとして説明される任意の実施形態または特徴は必ずしも、他の実施形態または特徴よりも望ましいか、または好都合であると解釈すべきではない。以下の詳細な説明では、本明細書の一部を形成する、添付の図面に対する参照が行われる。図面では、文脈で別段の指示がない限り、同様の記号は典型的には、同様の構成要素を識別する。本明細書で提示する主題の範囲から逸脱することなく、他の実施形態が利用され得、他の変更が行われ得る。
【００１３】
本明細書で説明する実施形態例は制限することを意図していない。本開示の態様は、本明細書で大まかに説明して図面で例示するように、様々に異なる構成で配置、置換、統合、分離、および設計でき、その全ては本明細書で明示的に企図されることが容易に理解されるであろう。
【００１４】
本明細書では、測定に関して「約」は＋／−５％を意味する。
【００１５】
本明細書では、「医療用インプラント」は、限定されない例として、歯科インプラント、歯科クラウン、歯科修復、骨スクリュー、プレート、股関節インプラント、または膝インプラントを意味する。
【００１６】
別段の指示がない限り、用語「第１の」、「第２の」などは本明細書では、単にラベルとして使用され、これらの用語が参照するアイテムに関して順序、位置、または階層的な要件を課すことを意図していない。さらに、例えば、「第２の」アイテムの参照は、例えば、「第１の」もしくはより低い番号付けされたアイテム、および／または例えば、「第３の」もしくはより高い番号付けされたアイテムの存在を要求することも除外することもない。
【００１７】
本明細書での「一実施形態」または「一例」への言及は、例に関連して説明する１つ以上の特徴、構造、または特性が、少なくとも１つの実施態様に含まれることを意味する。本明細書の様々な位置における句「一実施形態」または「一例」は、同じ例に言及することもあれば、言及しないこともある。
【００１８】
本明細書では、指定された機能を実行する「ように構成された」システム、機器、装置、構造、品目、要素、構成要素、またはハードウェアは、さらなる修正後に指定された機能を実行する可能性を有するだけでなく、いかなる変更も行うことなく、指定された機能を本当に実行可能である。言い換えれば、指定された機能を実行する「ように構成された」システム、機器、構造、品目、要素、構成要素、またはハードウェアは、指定された機能を実行する目的で、明確に選択され、作成され、実装され、利用され、プログラムされ、かつ／または設計される。本明細書では、「ように構成された」は、システム、機器、装置、構造、品目、要素、構成要素、またはハードウェアの既存の特性を示し、それは、システム、機器、構造、品目、要素、構成要素、またはハードウェアが、さらなる修正なしで指定された機能を実行するのを可能にする。本開示の目的のため、特定の機能を実行する「ように構成され」ていると説明されるシステム、機器、構造、品目、要素、構成要素、またはハードウェアは、追加または代替として、その機能を実行する「ように適合され」、かつ／または「ように動作する」として説明され得る。
【００１９】
以下の説明では、開示する概念の完全な理解を提供するために、多数の特定の詳細が記載されており、開示する概念は、これらの詳細の一部または全部なしで実施され得る。他の事例では、既知の装置および／またはプロセスの詳細は、本開示を不必要に曖昧にするのを回避するために省略されている。いくつかの概念は特定の例と共に説明されているが、これらの例は制限することを意図していなことが理解されるであろう。
【００２０】
Ａ．概要
本開示の実施形態例は、医療用インプラントの動的特性を測定するための方法および装置を含む。多くの実施形態では、本装置は電気機械（ＥＭ）装置である。動的特性は、自然周波数、線形剛性、および角度剛性を含む。これらの量の高い値は、歯科インプラントなどの、医療用インプラントの安定性を示す。しかし、これらの量は、正確かつ厳密に測定するのは困難であり得る。例えば、自然周波数および線形剛性は、アバットメントの存在または測定位置に起因して、著しく変わり得る。結果として、それらは、インプラントの安定性の良い指標としては役に立たない可能性がある。同様に、角度剛性は、既存の技術で直接測定するのが困難であり得る。その上、医療用インプラントの自然周波数を測定する既存の装置は、修復／アバットメント／インプラント複合体全体の分解を必要とする。これは多くの場合、達成できないタスクである。
【００２１】
これらの必要性に応じて、本開示の実施形態は、角度剛性を直接測定する装置（複数可）、および／または測定された自然周波数もしくは線形剛性からコンピュータモデルを介して角度剛性を抽出できる方法（複数可）を伴う。具体的には、本開示の実施形態は、医療用インプラントの有限要素シミュレーションと共にプローブを提供する。コンピューティング装置は、市販されている様々なインプラントの有限要素シミュレーションのデータベースを含むことができる。プローブは、医療用インプラントに力を加え、それにより、医療用インプラントの振動と関連付けられた応答信号を判断することができる。判断された応答信号は次いで、医療用インプラントの有限要素シミュレーションと比較され得る。比較に基づいて、医療用インプラントの角度剛性係数が判断され得る。角度剛性係数は、医療用インプラントの安定性を示す。具体的には、角度剛性係数に対する高い値は安定したインプラントを表し得、他方、低い角度剛性係数値は、不安定であるか、またはしっかりと固定されていないインプラントを表し得る。
【００２２】
本方法の前述の例は、例示を目的として提供されており、制限と解釈すべきではないことが理解されるべきである。
【００２３】
Ｂ．システム例
図１は、実施形態例に従った、システム１００の簡略化ブロック図である。かかるシステム１００は、患者内の医療用インプラントの安定性を検出するために医療従事者によって使用され得る。本システムは、コンピューティング装置１０２およびプローブ１０４を含む。プローブ１０４は、医療用インプラントまたは医療用インプラントがその中に移植されている骨の表面に機械力または変位を加えるために使用され得る。プローブ１０４は、例えば、１つ以上の圧電トランスデューサを用いて、プローブ１０４の遠位端に向かって、例えば、プローブ１０４の遠位端に近接して位置付けられた医療用インプラントの領域または範囲の特性を検出するために、機械力を伝達するように構成され得る。加えて、プローブ１０４は、例えば、１つ以上の光学または圧電センサーを用いて、さらなる処理のために機械的な動きを検出するように構成され得る。プローブ１０４は、医療用インプラントに加えられた力に応答して医療用インプラントの振動と関連付けられた応答信号を検出するように構成され得る。プローブ１０４の追加の詳細は、図２２〜図２７に関連して以下で説明される。
【００２４】
プローブ１０４は、コンピューティング装置１０２に通信可能に結合され得る。実施形態例では、コンピューティング装置１０２は、通信リンク１０６（例えば、有線または無線接続）を使用して、プローブ１０４と通信する。プローブ１０４およびコンピューティング装置１０２は、プロセッサ、送信機、受信機、アンテナなどの、通信リンク１０６を有効にするためのハードウェアを含み得る。コンピューティング装置１０２は、データを受信して、そのデータに対応するか、またはそのデータと関連付けられた情報を表示できる任意のタイプの装置であり得る。例として無制限に、コンピューティング装置１０２は、携帯電話（例えば、スマートフォン）、コンピュータ（デスクトップ、ラップトップ、ノートブック、タブレット、またはハンドヘルドコンピュータなど）、携帯情報端末（ＰＤＡ）、ホームオートメーション構成要素、デジタルビデオレコーダー（ＤＶＲ）、デジタルテレビ、リモコン装置、ウェアラブルコンピューティング装置、または何らかの他のタイプの装置であり得る。コンピューティング装置１０２およびプローブ１０４は同じ物理ハウジング内で提供され得るか、またはコンピューティング装置１０２およびプローブ１０４は、有線もしくは無線通信リンク１０６を通して相互に通信する別個の構成要素であり得ることが理解されるべきである。
【００２５】
図１では、通信リンク１０６は、無線接続として例示されているが、有線接続も使用され得る。例えば、通信リンク１０６は、ユニバーサルシリアルバスなどの有線シリアルバスまたはパラレルバスであり得る。有線接続は、独自の接続でもあり得る。通信リンク１０６は、例えば、他の可能性の中でとりわけ、ＢＬＵＥＴＯＯＴＨ無線技術、ＢＬＵＥＴＯＯＴＨ  ＬＯＷ  ＥＮＥＲＧＹ（ＢＬＥ）、ＩＥＥＥ８０２．１１（任意のＩＥＥＥ８０２．１１リビジョンを含む）で記述された通信プロトコル、セルラー技術（ＧＳＭ、ＣＤＭＡ、ＵＭＴＳ、ＥＶ−ＤＯ、ＷｉＭＡＸ、またはＬＴＥなど）、またはＺＩＧＢＥＥ技術を使用した、無線接続でもあり得る。プローブ１０４は、インターネットを経由してアクセス可能であり得る。
【００２６】
図１に示すように、コンピューティング装置１０２は、通信インタフェース１０８、ユーザーインタフェース１１０、プロセッサ１１２、データ記憶１１４、駆動信号源１１６、およびスペクトルアナライザ１１８を含み得、その全てが、システムバス、ネットワーク、または他の接続機構１２０によって通信可能に接続され得る。
【００２７】
通信インタフェース１０８は、アナログまたはデジタル変調を使用して、コンピューティング装置１０２が他の装置、アクセスネットワーク、および／または転送ネットワークと通信するのを可能にするように機能し得る。従って、通信インタフェース１０８は、単純従来型電話サービス（ＰＯＴＳ）通信および／もしくはインターネットプロトコル（ＩＰ）または他のパケット化通信などの、回路交換方式および／またはパケット交換方式の通信を容易にし得る。例えば、通信インタフェース１０８は、無線アクセスネットワークまたはアクセスポイントとの無線通信のために配置されたチップセットおよびアンテナを含み得る。また、通信インタフェース１０８は、イーサネット、ユニバーサルシリアルバス（ＵＳＢ）、または高解像度マルチメディアインタフェース（ＨＤＭＩ）ポートなどの、有線インタフェースの形をとり得るか、または含み得る。通信インタフェース１０８はまた、ＷｉＦｉ、全地球測位システム（ＧＰＳ）、または広域無線インタフェース（例えば、ＷｉＭＡＸまたは３ＧＰＰロングタームエボリューション（ＬＴＥ））などの、無線インタフェースの形もとり得るか、または含み得る。しかし、他の形の物理層インタフェースおよび他のタイプの標準または独自の通信プロトコルが通信インタフェース１０８を通して使用され得る。さらに、通信インタフェース１０８は、複数の物理通信インタフェース（例えば、ＷｉＦｉインタフェース、近距離無線インタフェース、および広域無線インタフェース）を含み得る。
【００２８】
ユーザーインタフェース１１０は、例えば、ユーザーから入力を受信するため、および出力をユーザーに提供するためなど、コンピューティング装置１０２が人間または人間以外のユーザーとやり取りするのを可能にするように機能し得る。従って、ユーザーインタフェース１１０は、例えば、キーパッド、キーボード、タッチセンサー方式または存在感知パネル、コンピュータマウス、トラックボール、ジョイスティック、マイクロホンなどの、入力構成要素を含み得る。ユーザーインタフェース１１０は、例えば、存在感知パネルと併用され得る、ディスプレイ画面などの、１つ以上の出力構成要素も含み得る。ディスプレイ画面は、ＣＲＴ、ＬＣＤ、および／もしくはＬＥＤ技術、光学シースルー方式ディスプレイ、光学シーアラウンド方式ディスプレイ、ビデオシースルー方式ディスプレイ、または現在既知であるか、もしくは後に開発される他の技術に基づき得る。プロセッサ１１２は、プローブ１０４からデータを受信し、そのデータをユーザーインタフェース１１０のディスプレイ画面上への表示のために構成し得る。ユーザーインタフェース１１０は、スピーカ、スピーカジャック、音声出力ポート、音声出力装置、イヤホン、および／または他の類似の装置を経由して、音声出力（複数可）を生成するようにも構成され得る。
【００２９】
プロセッサ１１２は、１つ以上の汎用プロセッサ−例えば、マイクロプロセッサ−および／または１つ以上の専用プロセッサ−例えば、デジタル信号プロセッサ（ＤＳＰ）、グラフィック処理装置（ＧＰＵ）、浮動小数点ユニット（ＦＰＵ）、ネットワークプロセッサ、もしくは特定用途向け集積回路（ＡＳＩＣ）−を含み得る。いくつかの場合、専用プロセッサは、他の可能性の中でとりわけ、画像処理、画像の位置合わせ、および画像併合が可能であり得る。データ記憶１１４は、例えば、磁気、光学式、フラッシュ、もしくは有機記憶などの、１つ以上の揮発性および／または不揮発性記憶構成要素を含み得、全部または一部において、プロセッサ１１２と統合され得る。データ記憶１１４は、取り外し可能および／または固定型の構成要素を含み得る。
【００３０】
プロセッサ１１２は、本明細書で説明する様々な機能を実行するためにデータ記憶１１４内に格納されたプログラム命令１２４（例えば、コンパイルされたか、もしくはコンパイルされていないプログラム論理および／または機械コード）を実行可能であり得る。それ故、データ記憶１１４は、プログラム命令をその上に格納している、持続性コンピュータ可読媒体を含み得、プログラム命令は、コンピューティング装置１０２によって実行される際に、コンピューティング装置１０２に、本明細書および／または添付の図面内で開示する方法、プロセス、または機能のいずれかを実行させる。プログラム命令１２４がプロセッサ１１２によって実行されると、プロセッサ１１２は参照データ１２２を使用する結果となり得る。一例では、参照データ１２２は、既知の特性をもつ医療用インプラントの多数の設計ならびに骨構造および物体を保持している幾何形状に基づき得るコンピュータモデルを含み得る。具体的には、参照データ１２２は、市販されている複数の医療用インプラントの有限要素モデルのデータベースを含み得る。参照データ１２２は、複数の医療用インプラントの各々に対する自然周波数および／または線形剛性係数のテーブルを含み得、かつ参照データ１２２は、判断された自然周波数および／または線形剛性係数に対応する角度剛性係数のテーブルをさらに含み得る。そのため、以下のさらなる詳細で説明するように、参照データ１２２は、測定された応答信号（例えば、医療用インプラントの測定された自然周波数および／または線形剛性係数）を医療用インプラントの安定性の指標に変換するために使用され得る。具体的には、参照データ１２２は、１つ以上の自然共振周波数（または線形剛性係数）と角度剛性係数値との間の相関を提供し得る。
【００３１】
使用時に、駆動信号源１１６は、電気的駆動信号をプローブ１０４の遠位端に伝達するように構成され得る。電気的駆動信号は、例えば、インパルス、単一の周波数を有する正弦波、増大する周波数の正弦波（すなわち、スイープされた正弦）、またはランダム信号などの、様々な形を取り得る。この駆動信号は、圧電トランスデューサなどの、１つ以上のトランスデューサによって機械力に変換され得る。かかる力は、その力が加えられる医療用インプラントにおいて機械的な動きを誘発し得る。その機械的な動きは１つ以上のトランスデューサによって検出され得、対応する応答信号が処理および／または解析のために、基地局に送り返され得る。別の例では、プローブ１０４は、振動力を医療用インプラントに加えるように構成され、応答信号は加えられた振動力に応答して医療用インプラントの動きに対応する。
【００３２】
一実施形態では、応答信号はスペクトルアナライザ１１８に提供され、スペクトルアナライザ１１８は、その信号内で１つ以上の特性周波数を識別するように構成され得る。自然周波数として知られている、かかる周波数は、例えば、周波数応答関数を取得するために、駆動信号および応答信号を時間領域表現から周波数領域表現に変換することによって識別され得る。線形剛性係数も、同じ周波数応答関数を使用して識別され得る。別の実施形態では、周波数領域でインピーダンスを取得するために、インピーダンスアナライザが使用される。さらに別の実施形態では、スペクトルアナライザ１１８は必要ない。代わりに、駆動信号および応答信号は高調波である。応答信号と駆動信号の振幅比は、線形剛性係数および自然周波数を取得するためにモニターされる。
【００３３】
識別された周波数、もしくは線形剛性係数、またはその両方は、以下のさらなる詳細で説明するように、医療用インプラントの特性を計算するために、コンピューティング装置１０２によってさらに解析され得る。コンピューティング装置１０２は、ローカルに、またはネットワーク／クラウド環境内に常駐し得、計算も同様に行う。これらの特性は、医療用インプラントの安定性を判断するための診断基準として使用できる。様々な実施形態では、任意の解析、処理、または診断の結果は、ユーザーインタフェース１１０のディスプレイを経由してユーザーに表示され得る。
【００３４】
様々な実施形態では、コンピューティング装置１０２は、例えば、スペクトルアナライザ１１８のタイミング、入力および出力（Ｉ／Ｏ）（例えば、その入力および／または出力）と共に、駆動信号源１１６およびプローブ１０４によって印加された信号の周波数、ユーザーインタフェース１１０のディスプレイと関連付けられた入力または出力（Ｉ／Ｏ）および同様のものなどの、システム１００の様々な態様を制御するように構成され得る。加えて、コンピューティング装置１０２は、以下のさらなる詳細で説明するように、係数計算および他のデータ処理機能を実行するように構成され得る。
【００３５】
いくつかの実施形態では、歯科健康検出システム１００は、図１に示すものよりも多くの構成要素を含み得る。しかし、例示的な実施形態を開示するためにこれらの概ね従来型の構成要素の全てが示されている必要はない。
【００３６】
Ｃ．方法例
図２は、医療用インプラントの安定性を検出するための方法２００を例示する簡略化流れ図である。図２のブロックは順番に示されているが、これらのブロックは、並行して、および／または本明細書で説明されているものとは異なる順番でも実行され得る。また、様々なブロックがもっと少ないブロックに統合されるか、追加のブロックに分割されるか、かつ／または所望の実施態様に基づいて除去され得る。
【００３７】
さらに、本明細書で説明する方法は、例としてウェアラブルコンピューティング装置によって実行されるとして説明されるが、例示的な方法またはその一部は、本発明の範囲から逸脱することなく、別の実体または実体の組合せによって実行され得ることが理解されるべきである。
【００３８】
加えて、図２の流れ図は、本実施形態の１つの考えられる実施態様の機能および操作を示す。これに関して、各ブロックは、プログラムコードのモジュール、断片、または一部を表し得、それは、プロセス内の特定の論理関数またはステップを実装するためにプロセッサによって実行可能な１つ以上の命令を含む。プログラムコードは、例えば、ディスクまたはハードドライブを含む記憶装置などの、任意のタイプのコンピュータ可読媒体上に格納され得る。コンピュータ可読媒体は、例えば、レジスタメモリ、プロセッサキャッシュおよびランダムアクセスメモリ（ＲＡＭ）のようにデータを短期間格納するコンピュータ可読媒体などの、持続性コンピュータ可読記憶媒体を含み得る。コンピュータ可読媒体は、例えば、読み取り専用メモリ（ＲＯＭ）、光または磁気ディスク、コンパクトディスク読み取り専用メモリ（ＣＤ−ＲＯＭ）のような、二次または永続的長期記憶などの、持続性媒体も含み得る。コンピュータ可読媒体は、任意の他の揮発性または不揮発性記憶システムでもあり得る。コンピュータ可読媒体は、例えば、コンピュータ可読記憶媒体、または有形的記憶装置と考えられ得る。
【００３９】
例のために、図２に示す方法２００の１つ以上のステップは、図１のコンピューティング装置１０２などの、コンピューティング装置によって実装されるとして説明される。１つ以上のサーバーなどの、他の実体が、方法例２００の１つ以上のステップを実装できることが理解されるべきである。
【００４０】
ブロック２０２で、方法２００は、医療用インプラントにプローブで力を加えることを含む。医療用インプラントは、限定されない例として、歯科インプラント、歯科クラウン、歯科修復、骨スクリュー、プレート、股関節インプラント、または膝インプラントの１つを含み得る。一例では、力を医療用インプラントに加えることは、医療用インプラントを励起して振動させる駆動信号を生成することを含む。かかる例では、応答信号は、駆動信号に応答した医療用インプラントの励起された振動に基づく。別の例では、力を医療用インプラントに加えることは、振動力を医療用インプラントに加えることを含む。かかる例では、応答信号は、振動力に応答した医療用インプラントの動きに基づく。別の例では、方法２００は、アバットメントを医療用インプラントに取り外し可能に連結することをさらに含む。かかる例では、力は、その力をアバットメントに加えることにより、医療用インプラントに間接的に加えられる。
【００４１】
加えられる力の振幅は、医療用インプラントの自然周波数および線形剛性係数などの、重大な物理的特性が合理的な忠実度で検出されるまで、徐々に増加され得る。力は、例えば、以下でさらに説明するような、圧電トランスデューサによって加えられ得る。複数の測定は医療用インプラントの安定性のより良い評価を提供し得るので、力は医療用インプラントに対して様々な、および／または複数の方向で加えられ得る。
【００４２】
ブロック２０４で、方法２００は、加えられた力に基づき医療用インプラントの振動と関連付けられた応答信号を判断することを含む。一例では、医療用インプラントの振動と関連付けられた応答信号は、自然周波数値を含む。別の例では、医療用インプラントの振動と関連付けられた応答信号は、線形剛性係数を含む。応答信号は、以下のさらなる詳細で説明するように、１つ以上の力センサーおよび／または振動計によって検出され得る。具体的には、１つ以上のセンサーおよび対応する応答信号によって検出される加えられた力に応答した動きは、図１に関連して説明したスペクトルアナライザ１１８などの、スペクトルアナライザに送信され得る。アナライザは受信した信号を処理して、加えられた力に対する周波数の範囲にわたって医療用インプラントがどのように応答するかを示す周波数応答曲線などの、周波数応答情報を提供し得る。受信した信号の多数の平均値は、正確な周波数応答曲線を取得する際に使用され得る。周波数応答曲線は、医療用インプラントの自然振動モードと関連付けられた１つ以上の周波数ピークの振幅を示し得る。また、第１の自然周波数を下回る周波数応答曲線は、線形剛性係数を抽出するために使用され得る。一般に、周波数応答曲線は、１０Ｈｚ〜６ＫＨｚの間の周波数に対して振幅および位相成分を含み得る。
【００４３】
ブロック２０６で、方法２００は、判断された応答信号を医療用インプラントのコンピュータモデルと比較することを含む。一例では、コンピュータモデルは、医療用インプラントの有限要素モデルである。一般に、自然周波数および線形剛性係数は、測定位置およびアバットメントまたはクラウンが存在するかどうかなどの、様々な要因に大きく依存する。従って、自然周波数および線形剛性係数は、測定されたとはいえ、医療用インプラントの安定性を真には査定しない。より厳密でロバストな量は、医療用インプラント−組織−骨系全体の角度剛性である。しかし、角度剛性は、直接測定するのが困難である。従って、測定された自然周波数および線形剛性から医療用インプラント−組織−骨系の角度剛性を抽出するために数理モデルが必要である。
【００４４】
かかるコンピュータモデルは、既知の特性をもつ医療用インプラントの多数の設計ならびに骨構造および物体を保持している幾何形状に基づき得る。具体的には、コンピュータモデルは、市販されている複数の医療用インプラントの有限要素モデルのデータベースを含むことができる。具体的には、コンピュータモデルは、複数の医療用インプラントの各々に対する自然周波数および／または線形剛性係数のテーブルを含むことができ、そのデータベースは、判断された自然周波数および／または線形剛性係数に対応する角度剛性係数のテーブルをさらに含み得る。かかる例では、判断された応答信号を医療用インプラントのコンピュータモデルと比較することは、判断された自然周波数および／または線形剛性係数をコンピュータモデルのデータベース内のテーブルと比較することを含む。
【００４５】
ブロック２０８で、方法２００は、判断された応答信号のコンピュータモデルとの比較に基づいて、医療用インプラントの角度剛性係数を判断することを含み、角度剛性係数は、医療用インプラントの安定性を示す。そのため、方法２００は、コンピュータモデルを使用して、測定された応答信号（例えば、自然周波数および／または線形剛性係数）を医療用インプラントの安定性の指標に変換する。具体的には、コンピュータモデルは、１つ以上の自然共振周波数（または線形剛性係数）と角度剛性係数値との間の相関を提供し得る。前述のように、コンピュータモデルは、複数の医療用インプラントの各々に対する自然周波数および／または線形剛性係数のテーブルを含むことができ、そのデータベースは、判断された自然周波数および／または線形剛性係数に対応する角度剛性係数のテーブルをさらに含み得る。かかる例では、角度剛性係数は、測定された自然周波数または線形剛性情報を有限要素モデルによって予測されたものと照合することにより、その周囲の骨または軟部組織内での医療用インプラントに対して判断され得る。
【００４６】
以下でさらに詳細に説明するように、角度剛性係数は、有限要素モデルにおいて偶力（すなわち、モーメント）を形成するために、大きさにおいて同等で方向において反対の、一対の力を加えることによって判断され得る。中心線の回転が次いで計算され得る。モーメントと回転との間の比率が角度剛性係数である。
【００４７】
医療用インプラントは、医療用インプラントの第１の表面から、医療用インプラントの中心線に沿って第１の表面の反対側の第２の表面まで延出する縦軸を含む。縦軸は、医療用インプラントの最も長い寸法に沿って、かつ／または平行に画定され得る。一実施形態では、医療用インプラントの第２の表面は患者の骨（例えば、医療用インプラントが歯科インプラントであれば顎骨）内に移植され、医療用インプラントの第１の表面は露出されて、骨に物理的に連結されない。医療用インプラントは、縦軸と垂直な第２の軸をさらに含む。角度剛性係数は、医療用インプラントの第２の軸に関する回転の剛性に対応し得る。
【００４８】
前述のように取得された角度剛性係数は、問題となっている医療用インプラントと関連付けられた安定性を判断するために使用され得る。例えば、係数の値は安定した医療用インプラントと不安定な医療用インプラントとの間で変動し得る。角度剛性係数の高い値は、安定した医療用インプラントを表し得、他方、低い角度剛性係数値は、不安定であるか、またはしっかりと固定されていない医療用インプラントを表し得る。角度剛性係数の直接指標は、ディスプレイ（図１におけるコンピューティング装置１０２のユーザーインタフェース１００のディスプレイなど）、または何らかの他の可聴もしくは可視インジケータによって臨床医に提供され得る。一例では、角度剛性の直接指標は、１〜１００の間のスコアを提供し得、１は非常に不安定で１００は非常に安定している。別の例では、角度剛性の直接指標は、緑、黄、または赤のインジケータをディスプレイ上に提供し得、緑は非常に安定した医療用インプラントを示し、黄は医療用インプラントの平均の安定性を示し、赤は、不安定な医療用インプラントを示す。例えば、係数が所定の閾値を上回っているかどうかに基づいて判断された、二値の良い指標または悪い指標などの、係数の間接指標も提供され得る。さらに別の例では、所与の医療用インプラントが経時的に検査され得、異なる時に判断された角度剛性係数が相互に比較され、それにより医療用インプラントが経時的に不安定になっているかを判断し得る。治癒プロセス中の健康予測などの、ビッグデータ用途を容易にするために、角度剛性係数の大規模なデータベースが収集されて比較され得る。
【００４９】
Ｄ．実験例
例１
材料および方法：
【００５０】
模擬顎骨：３つの異なる密度のＳａｗｂｏｎｅｓ（登録商標）（米国ワシントン州バション島）を使用した。（１）海綿骨に似ている４０ｍｍの厚いブロック（２０ＰＣＦ、０．３２ｇ／ｃｃ）および皮質骨を表している２ｍｍの積層（４０ＰＣＦ、０．６４ｇ／ｃｃ）から構成された平均的なヒトの下顎骨密度（Ａｈｎら，２０１２、Ｔａｂａｓｓｕｍら，２０１０）を模倣したハイブリッドブロック（３４×３４×４２ｍｍ）。（２）ＬｅｋｈｏｌｍとＺａｒｂの骨質分類体系（Ｊｅｏｎｇら，２０１３、Ｌｅｋｈｏｌｍら，１９８５）に従ったタイプＩ骨を表している高密度ブロック（３４×３４×４０ｍｍ、４０ＰＣＦ、０．６４ｇ／ｃｃ）。（３）タイプＩＩＩ〜ＩＶの骨を表している低密度ブロック（３４×３４×４０ｍｍ、１５ＰＣＦ、０．２４ｇ／ｃｃ）。
【００５１】
歯科インプラント：２つの異なるインプラント幅のＢｒａｎｅｍａｒｋ（登録商標）Ｍｋ  ＩＩＩ（Ｇｒｏｏｖｙ、Ｎｏｂｅｌ  Ｂｉｏｃａｒｅ、スイス連邦）を使用した：（ａ）標準プラットフォーム（ＲＰ）、４ｍｍ幅×８．５、１０、１１．５、１３、１５および１８ｍｍ長、ならびに（ｂ）ワイドプラットフォーム（ＷＰ）、５ｍｍ幅×８．５、１１．５、１５および１８ｍｍ長。様々な長さのＢｒａｎｅｍａｒｋ（登録商標）ＲＰインプラントを、３つの異なる密度のＳａｗｂｏｎｅｓ（登録商標）ブロックの中心に置いた。インプラントは、製造業者の外科的手順書に従って設置して４５Ｎ・ｃｍまで挿入した。ＷＰインプラントは多くの場合、低密度の骨でよく使用されるので、異なる長さのＷＰ  Ｂｒａｎｅｍａｒｋ（登録商標）インプラントを１５ＰＣＦ  Ｓａｗｂｏｎｅｓ（登録商標）ブロック内に設置して４５Ｎ・ｃｍまでトルクをかけた。ＲＰインプラントに対して７ｍｍ長の治療アバットメント（ＨＡ）を使用し、他方、ＷＰインプラントに対して５ｍｍ長のＨＡを使用した。１０Ｎ・ｃｍトルクを使用してＨＡをＢｒａｎｅｍａｒｋ  Ｓｙｓｔｅｍ  Ｔｏｒｑｕｅ  Ｃｏｎｔｒｏｌ（Ｎｏｂｅｌ  Ｂｉｏｃａｒｅ、スウェーデン王国）で固定した。
【００５２】
境界条件：全ての試料をブロックの底面で固定した。Ｓａｗｂｏｎｅｓ（登録商標）試料の底面は、カーペット留めを使用して鋼塊（６３．５×６３．５×１４．５ｍｍの寸法）に取り付けた。鋼塊は、万力でしっかりと固定した。目標は、Ｓａｗｂｏｎｅｓ（登録商標）試料の底面で固定された境界条件を作り出すことであった。
【００５３】
測定方法：実験モード解析（ＥＭＡ）を使用してインプラントを試験した。基本的に、装置は、フォースハンマー、レーザードップラー振動計（ＬＤＶ）およびスペクトルアナライザから構成された。インプラントに加えられた力をハンマーで測定し、ＬＤＶでインプラントの速度応答を測定した。測定した力および速度に基づき、スペクトルアナライザで周波数応答関数（ＦＲＦ）を計算し、それからインプラント−Ｓａｗｂｏｎｅｓ（登録商標）試験モデルの自然周波数を抽出した。各試料に対するインプラントアバットメント−Ｓａｗｂｏｎｅｓ（登録商標）の平均線形剛性を以下のようにＦＲＦから抽出した。
【００５４】
（ａ）線形剛性係数：剛性は、物体の硬さである。それは、構造上に印加された負荷と、応答変位との間の関係性を記述する。剛性は、負荷の位置およびタイプならびに変位に依存する。剛性の２つの一般的な形は線形剛性および角度剛性である。
【００５５】
線形剛性に関して、負荷は力Ｆで、構造応答は線形変位ｘである。加えられた力は変位に比例し、比率は線形剛性係数ｋ、すなわち、
ｋ＝Ｆ／ｘ                                              （１）
である。
【００５６】
線形剛性係数ｋは、周波数領域で推定できる。論理上、ＦＲＦ（力入力および速度出力をもつ）は、周波数が第１の自然周波数よりも著しく小さい場合、線形に増加するはずである。これは基本的に、図３に示すように第１のピーク前の（すなわち、それが第１のピークに達する前の周波数範囲内）グラフの領域（平坦領域）に対応する。その上、ＦＲＦの勾配は、測定されたインプラント−骨−アバットメント組立体の線形剛性係数ｋの逆数である。しかし、測定された周波数応答関数は測定誤差に起因して、線形に増加する領域を真には有していな可能性があるので、これは幾分、（自然周波数と比較して）あまりロバストな測定ではない。第１のピーク前の領域は必ずしも線形ではないことを意味し、それは、線形剛性を推定するのを困難にする。また、推定された線形剛性係数ｋは、ハンマーが当たり、レーザーが向けられる位置によって決まり、それは試料間で変動し得る。それにもかかわらず、それは、注意深く解釈されるべき測定可能な量である。
【００５７】
角度剛性係数：角度剛性に関して、負荷は、印加されたモーメントＭで、構造応答は角変位θである。印加されたモーメントは角変位に比例し、比率は角度剛性係数ｋθ、すなわち、
ｋθ＝Ｍ／θ                                            （２）
である。角度剛性係数は、歯科インプラントの安定性の理想的な表現である。理論上は、アバットメントの基部にモーメントが印加される場合、モーメントはアバットメントを弾性的に変形させない。応答は完全に骨−インプラント界面剛性およびインプラントの弾性からである。角度剛性は、アバットメントの影響を完全に除去するので、歯科インプラントの安定性を定量化するための優れた方法である。かかる配置が図４に示されている。
【００５８】
しかし、角度剛性係数ｋθは、実験的に測定するのが極めて困難である。アバットメント変形を招くことなくインプラントにトルクを印加することは達成不可能である。また、角変位も正確に測定することは困難である。従って、本明細書で説明するように、角度剛性係数ｋθを推定するために複合アプローチが使用される。初めに、自然周波数が実験によって直接測定される。次いで、測定された自然周波数を変換するために正確な数理モデル（例えば、ＦＥＡによって）を使用して、角度剛性係数ｋθを推定し得る。
【００５９】
有限要素解析：Ｂｒａｎｅｍａｒｋ（登録商標）インプラント、実験装置、および試験結果をシミュレートするために、ＡＮＳＹＳ  Ｒ−１５（米国ペンシルベニア州キャノンズバーグ）を使用して３次元（３−Ｄ）有限要素モデルを作成した。Ｓａｗｂｏｎｅｓ（登録商標）および製造業によって公開されたインプラントなどの各構成要素の材料特性を有限要素モデルで使用した。そのモデルは、２つのタイプのアバットメント、すなわち、７ｍｍ長の治療アバットメント（ＨＡ）および１２ｍｍ長のインプレッションコーピングアバットメント（ＩＭＰ）、を含む。ＨＡは実験測定を検証するために使用し、他方、ＩＭＰは角度剛性係数ｋθによるインプラント安定性の定量化の検証を示すために使用した。
【００６０】
モデルを作成した後、自然周波数を計算するためにモード解析をまず、実施した。次いで、線形および角度剛性係数ｋおよびｋθを計算するために、静的解析を実行した。線形剛性係数ｋを計算するために、実験でインパクトハンマーが接触したノードに力を加えた。ＬＤＶで実験的に測定したノードの変位を次いでＦＥＡによって予測した。力と変位の比率で線形剛性係数ｋを予測した。角度剛性係数ｋθを計算するために、図４に示すように、一対の同等で相反する力をアバットメントの基部で２つの隣接するノードに加えて対を形成する。アバットメントの中心線のその基部における回転は角変位であった。対と角変位との間の比率が角度剛性係数ｋθを与えた。
【００６１】
結果：
１．標準プラットフォームインプラントに対する実験モード解析結果
ＨＡをもつＢｒａｎｅｍａｒｋ（登録商標）ＲＰインプラントに関して、図５は、測定された第１の自然周波数対インプラント長を示す。測定された自然周波数は、高密度ブロックに対して２８４８〜２８８８Ｈｚ、ハイブリッドブロックに対して２１１２〜２１７６Ｈｚ、および低密度ブロックに対して１９３６〜２０３６Ｈｚであった。測定された自然周波数は、インプラント長と有意な相関関係を有していなかった。
【００６２】
図６は、測定された周波数応答関数から抽出された線形剛性係数を示す。高密度ブロックに対する線形剛性係数は、高密度ブロックに対しては６２８．６〜９８０．１Ｎ／ｍｍ、ハイブリッドブロックに対しては３２９．５〜３８６．７Ｎ／ｍｍ、および低密度ブロックに対しては１６９．８〜２７１．５Ｎ／ｍｍであって、図６を参照されたい。
【００６３】
一般に、高密度ブロックが剛性および自然周波数においてハイブリッドおよび低密度ブロックのそれよりも著しく高い場合、剛性は自然周波数と同様の傾向を有していた。低密度およびハイブリッドブロックは、より近い線形剛性係数および自然周波数を有していた。高密度ブロックの線形剛性係数はインプラント長が増大するのに伴って増加し、他方、低およびハイブリッド密度ブロックの線形剛性係数は、インプラント長に伴って有意には変動しなかった。
【００６４】
推定された線形剛性係数の再現性および一貫性を評価するために、実験を繰り返した。複数のＥＭＡからのＦＲＦ結果を使用して平均線形剛性を推定した。線形剛性係数は、一貫した自然周波数測定を有していたＢｒａｎｅｍａｒｋ（登録商標）ＲＰインプラントのＦＲＦから推定した。結果が図７に明示されている。線形剛性係数は、特に高密度ブロックに対して大きく異なっていたが、ハイブリッドおよび低密度ブロックに対しては同じ範囲内であった。２つの重要な点を強調する必要がある。第１に、これは、線形剛性は、ハンマーでたたき、レーザーを向ける位置に依存するので、推定するのがどれほど難しいパラメータであり得るかを示しており、その位置は、どんなにそのパラメータを一定にしようとしても検査ごとに異なり得る。第２に、低剛性事例は失敗しているインプラントの状態であるので、これらを検出することは臨床的に重大である。
【００６５】
２．標準プラットフォームインプラントに対する有限要素解析
（ａ）自然周波数：ＦＥＡによって予測された自然周波数が比較のために図５に示されている。３本の実線は、ハイブリッド、高密度、および低密度ブロックに対する自然周波数のＦＥＡ予測を表す。一般に、予測された自然周波数は、測定された自然周波数と１０％以内で良く合致する。高密度ブロックは、低密度およびハイブリッドブロックよりも良好な合致を示した。その上、ＦＥＡ予測およびＥＭＡ測定は同じ傾向を示した。例えば、自然周波数はインプラント長に対する相関関係は示さなかった。また、ハイブリッドブロックおよび低密度ブロックの自然周波数は略同じであった。
【００６６】
従って、自然周波数におけるＦＥＡ予測とＥＭＡ測定との間の近い合致は、有限要素モデルが非常に正確であることを示す。ＦＥＡ予測およびＥＭＡ測定は、図５に示すように、Ｓａｗｂｏｎｅｓ（登録商標）の材料特性の差異およびインプラント−Ｓａｗｂｏｎｅｓ（登録商標）界面における接触条件などの実験における変動要素に起因して、同じではなかったことに留意されたい。
【００６７】
（ｂ）線形剛性：ＦＥＡによって予測された線形剛性係数が同様に比較のために図８に示されている。留意すべきいくつかの事柄がある。第１に、ＦＥＡ予測はＥＭＡ結果と同じ傾向を有している。具体的には、高密度ブロックの線形剛性係数は、インプラント長が増大するにつれて増加する傾向がある。それに対して、低密度およびハイブリッドブロックの線形剛性係数は、図６に示すように、相互に近く、インプラント長に関して有意には変動していない。ＦＥＡ予測は、ＥＭＡ測定において観察されたこれらの特徴全てを捉える。第２に、予測された線形剛性係数は測定されたものよりも高い。低密度のＳａｗｂｏｎｅｓ（登録商標）に関して、予測された線形剛性係数と測定された線形剛性係数は近い。高密度のＳａｗｂｏｎｅｓ（登録商標）に関して、予測された線形剛性係数と測定された線形剛性係数との間の差は、大きいが、同じ桁である。
【００６８】
上で説明したように、線形剛性は、ＥＭＡによって測定された自然周波数よりもロバストでない量であることが分かっている。それは試験条件（例えば、ハンマーがたたく位置）の影響を非常に受けやすく、自然周波数測定と比較してはるかに小さい信号対雑音比を有する。従って、ＦＥＡ予測およびＥＭＡ測定からの線形剛性の数値が良く合致すると予期することは現実的ではない。それにもかかわらず、図６における比較は、２つの明るい兆候を示している。第１に、ＦＥＡ結果は傾向を予測する。それは、この場合もやはり、有限要素モデルが正確であることを示す。第２に、予測された線形剛性係数と測定された線形剛性係数との間の最大差は約１００％である（例えば、高密度ブロック内の８．５ｍｍインプラントに対して１３００対６２０Ｎ／ｍｍ）。剛性を測定するためにインパクトハンマーを使用する限りにおいて、その差はそれほど悪くない。
【００６９】
有限要素モデルは、線形剛性係数はアバットメントの幾何形状に非常に大きく依存しているので、それらはインプラントの安定性を定義するための良い指標ではないことも証明する。図８は、ＨＡおよびＩＭＰアバットメントでの線形剛性係数のＦＥＡ予測を比較する。ＨＡからＩＭＰアバットメントに変更しても、インプラント長に関して線形剛性係数の傾向は変わらない。しかし、ＩＭＰアバットメントでの線形剛性係数は、図８に示すように、著しく低い。これは、ＩＭＰアバットメントの弾性が線形剛性に影響を及ぼしていることを示す。従って、線形剛性は、インプラント−骨界面剛性またはインプラントの安定性の代表的な評価基準ではない。
【００７０】
（ｃ）角度剛性：ＦＥＡモデルは、角度剛性係数を計算するのを可能にする。図９は、ＨＡおよびＩＭＰアバットメントを用いてＦＥＡによって予測された角度剛性係数を比較する。歯科インプラントの歯頸部、またはハイブリッドブロック内にＢｒａｎｅｍａｒｋ（登録商標）ＲＰのあるアバットメント（ＨＡおよびＩＭＰ）の基部でモーメントが印加される場合、角度剛性係数は、両方のアバットメントをもつインプラントに対して、１．５％未満の最小限の差で非常に似ていることに気が付く。これは、アバットメントの基部または先端領域における角度剛性係数がアバットメントの長さとどのように無関係であるかを示して、歯科インプラントの安定性をさらに正確に表すことができる。角度剛性係数は、図９に示すように、インプラント長が増大するにつれて有意に増加する傾向がある。
【００７１】
３．ワイドプラットフォームインプラントの安定性
上で展開したＥＭＡおよびＦＥＡ手順は、ＷＰインプラントに適用してそれらの安定性を判断することができる。その上、安定性は、評価のためにＲＰインプラントのそれと比較できる。ＷＰインプラントは低密度ブロックにおいてのみ測定されることに留意されたい。従って、比較は、同様に低密度ブロックにおいてＲＰインプラントと行われる。
【００７２】
（ａ）実験モード解析。ＥＭＡによって測定された第１の自然周波数は、図１０に示すように、１９８４〜２０７２Ｈｚであった。自然周波数は、低密度ブロック内のＲＰインプラントに対するものと同じ範囲であった。従って、幅を変えても、自然周波数において有意な変化を生じない。それに対して、線形剛性係数は、３４６．７〜４２９．６Ｎ／ｍｍまで変動し、それは、図１１に示すように、低密度ブロック内のＲＰインプラントから抽出されたものより著しく高い。これで、自然周波数はインプラントの安定性を代表するものではないことは明らかである。
【００７３】
（ｂ）有限要素解析。低密度ブロック内にＨＡをもつＢｒａｎｅｍａｒｋ（登録商標）ＷＰインプラントについてＦＥＡを実施する。ＦＥＡによって予測された自然周波数が比較のために図１０に示されている。予測された自然周波数は測定されたものと良く合致する。ＷＰおよびＲＰインプラントに対してＦＥＡによって予測された線形剛性係数が比較のために図１１に示されている。予測された剛性は、大きさにおいてだけでなく傾向においても測定された剛性と良く合致することに留意されたい。例えば、ＷＰに対して予測された剛性はＲＰのものよりも高い。
【００７４】
図１２に示すように、低密度ブロック内のＢｒａｎｅｍａｒｋ（登録商標）ＷＰおよびＲＰインプラントに対して角度剛性係数を予測した。また、ＨＡおよびＩＭＰアバットメントをもつモデルから取得した両方の角度剛性係数が図１２に示されている。いくつかの所見がある。第１に、ＨＡおよびＩＭＰアバットメントからの角度剛性係数は略同一であり、この場合もやはり角度剛性係数は、インプラントの安定性を表すためのロバストな量であることをもたらす。第２に、ＷＰインプラントはＲＰインプラントよりも著しく大きな角度剛性係数を有する傾向がある。最後に、角度剛性係数は、ＷＰおよびＲＰインプラントの両方に対して、インプラント長が増大するにつれて増加する。
【００７５】
例２
材料および方法：
【００７６】
模擬顎骨：Ｓａｗｂｏｎｅｓ（登録商標）（米国ワシントン州バション島）は、異なる密度で提供されて、ヒトの骨の物理的特性と±１０％の精度で似るように形成する合成ポリウレタン試験ブロックである。３つの異なるＳａｗｂｏｎｅｓ（登録商標）密度、すなわち、ハイブリッドブロック、高密度ブロック、および低密度ブロック、を使用した。ハイブリッドブロック（３４×３４×４２ｍｍの寸法）は、平均的なヒトの下顎骨密度を模倣するために使用した。それらは海綿骨に似ている４０ｍｍの厚いブロック（２０ＰＣＦ、０．３２ｇ／ｃｃ）および皮質骨に似ている２ｍｍの積層（４０ＰＣＦ、０．６４ｇ／ｃｃ）から構成される。高密度ブロック（３４×３４×４０ｍｍ、４０ＰＣＦ、０．６４ｇ／ｃｃ）は、ＬｅｋｈｏｌｍとＺａｒｂの骨質分類体系に従ったタイプＩ骨に似せるため使用した。低密度ブロック（３４×３４×４０ｍｍ、１５ＰＣＦ、０．２４ｇ／ｃｃ）は、タイプＩＩＩ〜ＩＶの骨に似せるために使用した。
【００７７】
歯科インプラント：長さが７、８．５、１０、１１．５、１３、１５および１８ｍｍのＢｒａｎｅｍａｒｋ  Ｍｋ  ＩＩＩインプラント（Ｇｒｏｏｖｙ、Ｎｏｂｅｌ  Ｂｉｏｃａｒｅ）を、図１３に示すように、４５Ｎ＊ｃｍに固定する製造業者の外科的手順書に従い、各ブロックの中心に設置した。各ブロックの下側１３ｍｍの部分を万力に固定して可能な限り固定された境界条件を提供した。万力は、可能な限り周囲環境からの振動を排除するために、免震テーブル上にねじで取り付けた。Ｏｓｓｔｅｌｌ  ＩＳＱ（登録商標）、Ｐｅｒｉｏｔｅｓｔ（登録商標）、およびＥＭＡを使用してインプラント−Ｓａｗｂｏｎｅｓ系を試験した。Ｏｓｓｔｅｌｌ  ＩＳＱ（登録商標）試験に関して、Ｓｍａｒｔ  Ｐｅｇ（タイプＩ）を固定具（ｆｉｘｔｕｒｅ）レベルにおいて指圧でインプラント上にねじで取り付けた。近遠心的（ＭＤ：ｍｅｓｉｏ−ｄｉｓｔａｌｌｙ）に測定して、平均を計算した。１０Ｎ＊ｃｍトルクを使用して、アバットメントをＢｒａｎｅｍａｒｋ  Ｓｙｓｔｅｍ  Ｔｏｒｑｕｅ  Ｃｏｎｔｒｏｌで締め付けた。Ｐｅｒｉｏｔｅｓｔ（登録商標）測定に関して、インプラントのアクセスと垂直に、数ミリメートル離して置かれた装置の先端で試料を試験した。測定の各セットに対して３つの示度の平均を取り、測定の間で、アバットメントを取り除いて再度取り付けた。
【００７８】
実験モード解析用の実験装置：装置は、図１４に示すように、ハンマー（ＰＣＢ Ｐｉｅｚｏｔｒｏｎｉｃｓ  Ｉｎｃ．米国ニューヨーク州デピュー）、レーザードップラー振動計（ＬＤＶ）（Ｐｏｌｙｔｅｃ  Ｉｎｃ．米国ミシガン州デクスター）、およびスペクトルアナライザ（Ｓｔａｎｆｏｒｄ  Ｒｅｓｅａｒｃｈ  Ｓｙｓｔｅｍｓ、ｍｏｄｅｌ  ＳＲ７８５、米国カリフォルニア州サニーベール）から構成された。ハンマーでアバットメントをたたいて、歯科インプラントを振動させた。ハンマーの先端において、ロードセル（力センサー）でアバットメントに作用している力を測定した。その間、ＬＤＶは、歯科インプラントおよびそのアバットメントの振動速度を測定した。測定された力および速度データはスペクトルアナライザに供給され、そこで周波数応答関数が周波数領域で計算された。様々なパラメータ（例えば、自然周波数、粘性減衰係数、および剛性）が測定された周波数応答関数から抽出できる。
【００７９】
自然周波数の抽出：測定された周波数応答関数内のピークに対応する周波数が自然周波数である。一般に、自然周波数はＥＭＡにおける非常にロバストな量である。それらは測定するのが容易で、測定は極めて繰り返し可能である。自然周波数は剛性に依存するので、それらの値は、剛性に影響を及ぼす様々な要因、例えば、インプラントおよびＳａｗｂｏｎｅｓ（登録商標）の材料および幾何形状、Ｓａｗｂｏｎｅｓ（登録商標）に関するインプラントの配向、インプラントとＳａｗｂｏｎｅｓ（登録商標）との間の界面特性、実験装置の境界条件（例えば、固定具およびどのようにＳａｗｂｏｎｅｓ（登録商標）ブロックが保持されているか）、ならびにその他（例えば、残留応力）など、に依存する。
【００８０】
有限要素解析：図１５Ａ〜図１５Ｂに示すように、実験装置および試験結果をシミュレートするために、ＡＮＳＹＳ  Ｒ−１５（米国ペンシルベニア州キャノンズバーグ）を使用して３次元（３−Ｄ）有限要素モデルを作成した。そのモデルはＳＯＬＩＤ１８６要素を使用して構築され、それらは、二次変位場（ｑｕａｄｒａｔｉｃ  ｄｉｓｐｌａｃｅｍｅｎｔ  ｆｉｅｌｄ）を想定する高次の３Ｄ、２０ノードの中実要素である。有限要素モデルは、３つの部分、すなわち、Ｓａｗｂｏｎｅｓ（登録商標）ブロック、円筒状インプラント、およびインプレッションコーピングアバットメントから構成される。Ｓａｗｂｏｎｅｓ（登録商標）ブロックに関して、製造業者によって提供された材料特性（例えば、密度およびヤング率）を使用して、３つの異なる密度の試験したＳａｗｂｏｎｅｓ（登録商標）ブロックをモデル化した。Ｓａｗｂｏｎｅｓ（登録商標）ブロックは、等方性と仮定して、試験試料と同じサイズを有する。その上、ブロックは、実験で課された境界条件を反映するために下側の１３ｍｍに関して２つの側面で固定した。インプラントをモデル化するために、長さが７、８．５、１０、１１．５、１３、１５および１８ｍｍで、直径が４ｍｍの一体型円筒を使用した。円筒の材料は、チタン合金Ｔｉ４Ａｌ６Ｖであった。さらに、円筒は、各Ｓａｗｂｏｎｅｓ（登録商標）ブロックの中心に配置した。円筒状インプラントおよびＳａｗｂｏｎｅｓ（登録商標）ブロックのノードは、インプラント−Ｓａｗｂｏｎｅｓ（登録商標）界面で併合されて、インプラントとＳａｗｂｏｎｅｓ（登録商標）ブロックとの間の滑りなし条件（すなわち、完全な結合）をモデル化する。インプレッションコーピングアバットメントを略正確な寸法でモデル化した。それは、滑りなし条件でインプラントに連結された。インプレッションコーピングアバットメントの材料はチタン合金であった。モデルを作成した後、シミュレートした試験試料の自然周波数およびモード形状を計算するためにモード解析を実施した。
【００８１】
結果
Ｏｓｔｅｌｌ  ＩＳＱ（登録商標）測定：平均ＭＤ示度は、図１６に示すように、高密度ブロックに対して７５〜８１、ハイブリッドブロックに対して７４〜７９．５、および低密度ブロックに対して６０〜６７．５であった。ハイブリッドおよび高密度ブロックに対するＩＳＱ値は同じ範囲内であり、他方、低密度ブロックに対するＩＳＱ値は低い。言い換えれば、ハイブリッドブロックに対するＩＳＱ値は、低密度ブロックのそれよりも高密度ブロックの値に近い。測定されたＩＳＱ示度は、製造業者に従ったインプラントの安定性を表す。しかし、データを良く見ると、いくつかの微妙な所見が明らかになる。まず、ハイブリッドおよび高密度ブロックに関して、平均ＩＳＱ示度は、長さが１３ｍｍ以下のインプラントに対して略同じである。その後ＩＳＱ示度は、インプラント長が１３ｍｍを超えると散乱し始める。低密度ブロックに関して、ＩＳＱ示度は非常に散乱している。
【００８２】
Ｐｅｒｉｏｔｅｓｔ（登録商標）ＰＴＶ測定：Ｐｅｒｉｏｔｅｓｔ（登録商標）ガイドラインによれば、ＰＴＶ示度が低ければ、安定性はそれだけ高い。図１７に示すように、平均ＰＴＶ示度は、高密度ブロックに対して９．６〜５．５、ハイブリッドブロックに対して１４．９５〜７．７、および低密度ブロックに対して２０．５〜１１．５であった。ハイブリッドブロックに関して、ＰＴＶ示度は０．８４の相関係数を有して、インプラントが長ければ安定性はそれだけ低いことを暗示した。高密度ブロックグループに関して、相関係数は−０．７４で、インプラントが長ければそれだけ安定していることを暗示した。低密度グループに関して、ＰＴＶ示度は−０．４７の相関係数を有して、インプラント長と安定性との間にわずかな相関関係しか示さなかった。一般に、ＰＴＶ示度は非常に散乱していて、測定は決定的でない。異なる密度ブロックに対する示度は偶然で、一貫したパターンに従わない。それにもかかわらず、高密度ブロックに対するＰＴＶ示度は、低密度ブロックのそれよりもはるかに低かった。Ｐｅｒｉｏｔｅｓｔ（登録商標）ガイドラインによれば、これらの測定から取得された値は全て、図１７に示すように、０よりも高いので、インプラントの不安定性を示す。
【００８３】
有限要素解析：図１８Ａ〜図１８Ｃに示すように、３つの主な振動モードが見られた。図１８Ａに示す、第１のモードは、アバットメント−インプラント組立体の前後方向の動きを表す。動きは、（境界条件として）部分的に固定されている２つの側面と平行な方向に生じるので、ブロックは比較的小さい歪みを経験してより小さい剛性となる。従って、このモードは最も低い自然周波数を有する。図１８Ｂに示す、第２のモードは、アバットメント−インプラント組立体の横方向の動きを表す。第２のモードでは、動きは、部分的に固定されている２つの側面と垂直な方向に生じる。従って、ブロックは比較的大きな歪みを経験してより高い剛性およびより高い自然周波数となる。図１８Ｃに示す、第３のモードは、Ｓａｗｂｏｎｅｓ（登録商標）のねじる動きを表す。各振動モードはそれ自身の自然周波数を有する。
【００８４】
第１の自然周波数の計算に基づき、２つの主な発見がある。第１に、図１９に示すように、予測された自然周波数は、インプラント長とは無関係であった。第２に、予測された自然周波数は、４０ＰＣＦブロックに対して最も高く、１５ＰＣＦブロックに対して最も低くかった。その上、１５ＰＣＦブロックと４０／２０ＰＣＦブロックとの間の周波数差は小さく、他方、４０ＰＣＦブロックと４０／２０ＰＣＦブロックとの間の周波数差はもっと著しい。
【００８５】
実験モード解析：ＥＭＡの結果はＦＥＡからの予測と同じ傾向を有していた。測定された周波数応答関数内で３つの共振ピークが見られ、ＦＥＡで予測された３つの振動モードを確認した。さらに、３つの共振ピークが出現した周波数は、測定された自然周波数であった。多重自然周波数の存在は、インプラント−Ｓａｗｂｏｎｅｓ系の複合動態（ｃｏｍｐｌｅｘ  ｄｙｎａｍｉｃｓ）内に現れる。
【００８６】
第１のモードをより良く励起するために、アバットメントを可能な限り前から打つようにハンマーを調整した。この調整は横からの励起を最小限にして、第２のピークの振幅を縮小した。第２のモードは第１のモードに干渉せず、測定されたデータを汚染しなかったので、かかる調整は非常に望ましかった。結果として、焦点が第１のモードに置かれ、それは、最も重要なモードであった。図２０に示すように、完璧な実験が実施された場合、第２のモードは全く励起されなかったので、第２のピークは明瞭に見ることができなかった。
【００８７】
測定された周波数値は非常に一貫していた。一般に、第１の自然周波数の測定された値は、図２１に示すように、高密度ブロックに対して２２２４Ｈｚ〜２３３６Ｈｚ、ハイブリッドブロックに対して１６８８Ｈｚ〜１７２０Ｈｚ、および低密度ブロックに対して１４２４Ｈｚ〜１５７６Ｈｚであった。測定された自然周波数は、ＦＥＡで予測されたように、インプラント長に関して大幅には変動しなかった。ハイブリッドブロックと低密度ブロックとの間の測定された周波数差は、ハイブリッドブロックと高密度ブロックとの間よりもずっと小さかった。低密度ブロックは１５ＰＣＦであり、他方、ハイブリッドブロックの大部分は２０ＰＣＦであるので、これらの結果は、道理にかなっている。ハイブリッドブロックはもっと低密度ブロックのように実施すべきであり、実験結果はその見解を支持する。
【００８８】
これらの実験結果は、図１９を図２１と比較することによって示されるように、定性的だけでなく定量的にもＦＥＡからの予測と非常に良く合致する。Ｓａｗｂｏｎｅｓ（登録商標）は物理的特性において±１０％の許容誤差を有しており、それは測定された自然周波数に実質的に影響を及ぼし得ることに留意すべきである。
【００８９】
Ｅ．例示的なプローブ
図１に関連して前述したように、医療用インプラントの安定性を検出するためのシステムは、（ｉ）医療用インプラントに加えられた力に応答して医療用インプラントの振動と関連付けられた応答信号を検出するように構成されたプローブ、および（ｉｉ）プローブと通信するコンピューティング装置を含み得、コンピューティン装置は、図２に関連して前述した方法ステップの１つ以上を実行するように構成される。図２２〜図２７は、医療用インプラントに加えられる力を生成し、加えられた力に応答して医療用インプラントの振動と関連付けられた応答信号を検出するために使用され得る様々なプローブを例示する。図２２〜図２６に示す実施形態では、医療用インプラントは、患者の骨３０４内に設置された歯科インプラント３０２を含む。アバットメント３０６は、ねじ３０８によって歯科インプラント３０２に結合される。歯科クラウン３１０が次いで、アバットメント３０６の上に位置付けられる。本明細書で説明する方法のいずれかを使用して歯科インプラント３０２の安定性を判断することは、歯科インプラント３０２に力を直接加えること、アバットメント３０６に力を加えること、および／または歯科クラウン３１０に力を加えることを含み得る。図２２〜図２６に例示する医療用インプラントは制限することを意図せず、本明細書で説明する実施形態は、例えば、限定されない例として、歯科インプラント、歯科クラウン、歯科修復、骨スクリュー、プレート、股関節インプラント、または膝インプラントなどの、任意の医療用インプラントに適用する。
【００９０】
図２２は、応答信号を取得するための構成要素の第１の実施形態を示す。図示する実施形態では、構成要素は力入力源としてのハンマー３１２および速度出力を生成するためのレーザードップラー振動計３１４を含む。かかる例では、ハンマー３１２はプローブを含む。ハンマー３１２は、例えば、歯科インプラント３０２に結合されたアバットメント３０６またはアバットメント３０６に結合された歯科クラウン３１０などの、対象物体をたたくように調整されて大きさを決められて、歯科インプラント３０２を振動させる。ハンマー３１２の先端において、ロードセル３１６は、対象物体に作用している力を測定するための力センサーとして機能する。ロードセル３１６は、ハンマー３１２の第１の表面と、ハンマー３１２およびロードセル３１６が対象物体に接触する物体上の位置との間に配置された、圧電センサーまたは圧電ブロックであり得る。ブロックの電荷が測定されて、対象物体に作用している力の指標を提供し得る。同時に、振動計３１４は、対象物体の振動速度を測定し、対象物体は、この例では、歯科インプラント３０２、アバットメント３０６、および歯科クラウン３１０を含む。かかる振動計３１４は、１つのタイプの光学センサーであるが、他の光学および非光学センサーも振動を測定するために使用され得る。測定された力および速度データはスペクトルアナライザに供給され、そこで周波数応答関数が周波数領域で計算される。かかるアナライザは、図１に示すようなアナライザ１１８であり得る。様々なパラメータ（例えば、自然周波数、粘性減衰係数、および剛性）が測定された周波数応答関数から抽出できる。本開示に関して、図２のステップ２０４で説明したように、医療用インプラントの自然周波数および線形剛性が判断される。
【００９１】
図２３は、プローブ４００の代替実施形態を例示する。かかる実施形態は、圧電セラミックブロックなどの、アクチュエータ４０２を備えたプローブ４００を含み、アクチュエータ４０２は同時に、プローブ４００の遠位端上の第１の表面４０４上に配置されて、図２３に示す歯科クラウン３１０などの、対象物体と接触して置かれるように構成された、力トランスデューサとして機能する。圧電アクチュエータ４０２に電圧が印加されると、それは変形して歯科クラウン３１０を移動させて、歯科インプラント３０２を振動させる。前述のように、対象物体は、歯科インプラント３０２、アバットメント３０６、または任意の他の医療用インプラントでもあり得る。アクチュエータ４０２によって歯科クラウン３１０にかけられた力は、例えば、圧電アクチュエータ４０２を通過する電流によって推定され得る。プローブ４００は、プローブ４００に物理的に結合されて、第１の表面４０４から間隙を空けて向かい合った、第２の表面４１０を提供する支持構造４０８も含む。プローブ４００は、第１の表面４０４と第２の表面４１０との間に歯科クラウン３１０を受け入れるようにさらに成形される。物体４０６は、図２３に示す歯科インプラントなどの、医療用インプラントであり得る。
【００９２】
そのため、支持構造４０８は、アクチュエータ４０２が歯科クラウン３１０に接触するように構成される位置の反対側の、歯科クラウン３１０の側面に、プローブ４００を物理的に結合するように構成される。かかる支持構造４０８は、歯科クラウン３１０の上を超えて延出する第１の部分４１２を含み得る。支持構造４０８は、第１の部分４１２から実質的に垂直角度で延出する第２の部分４１４も含み得、第２の部分４１４は、歯科クラウン３１０の反対側に接触するように構成される。その上、第２の部分４１４は、歯科クラウン３１０と接触してコンプライアント面４１６を有し得、歯科クラウン３１０が圧電アクチュエータ４０２の力の下で動くのを可能にする。
【００９３】
応答信号は、アクチュエータ４０２により様々な方法で歯科クラウン３１０に加えられた力に応答して検出され得る。一実施形態に関して、圧電アクチュエータ４０２は振動センサーとして機能し得る。例えば、圧電アクチュエータ４０２の電圧および電流は、自然周波数もしくは線形剛性係数またはその両方がそれから抽出され得るインピーダンス測定を取得するためにモニターされ得る。別の実施形態に関して、コンプライアント面４１６は、ＰＶＤＦなどの、圧電ポリマーで作られて、センサーとして機能し得る。圧電アクチュエータ４０２の電流および圧電ポリマーの電荷は、自然周波数および線形剛性係数を抽出するために使用され得る。図２３〜図２７の実施形態に関して、関連付けられたコンピューティング装置１０２はスペクトルアナライザ１１８を含む必要がない可能性があることに留意されたい。これらの実施形態では、図２３に示すプローブ４００などの、プローブからの信号は、プロセッサ１１２によって受信され得、剛性係数は、コンピューティング装置１０２内のこの同じ要素によって直接計算され得る。
【００９４】
図２４は、プローブ５００の別の実施形態を例示する。この実施形態では、トランスデューサ５０２は、圧電トランスデューサであり得、歯科クラウン３１０などの、対象物体の２つ以上の側面の周囲に置かれるように構成され得る。前述のように、対象物体は、歯科インプラント３０２、アバットメント３０６、または任意の他の医療用インプラントでもあり得る。駆動信号を適用すると、トランスデューサ５０２を振動させ得、それは次いで、歯科クラウン３１０、アバットメント３０６、および歯科インプラント３０２を振動させ得る。歯科クラウン３１０の振動は、同じトランスデューサ５０２によって検出されて、本明細書の別の箇所で説明するようにさらに使用可能な応答信号に変換され得る。かかるトランスデューサは、少なくとも２つの部分を有する角度トランスデューサ（ａｎｇｌｅｄ  ｔｒａｎｓｄｕｃｅｒ）を含み得、各部分は、歯科クラウン３１０が結合された部分の間に受け入れられ得るように、約７０度〜約１１０度の間の角度で別の部分に結合される。１つの特定例では、図２４に示すように、トランスデューサ５０２は、歯科クラウン３１０に概ね対応して取り囲むように直角で相互に連結された３つの部分５０６Ａ、５０６Ｂ、５０６Ｃを含む。
【００９５】
図２５は、プローブ６００の別の実施形態を例示する。図２５の実施形態は図２４と似ているが、トランスデューサ６０２は、対象物体の１つだけの側面上に、プローブ６００の遠位端において位置付けられる。図２５に示す例では、対象物体は歯科クラウン３１０である。前述のように、対象物体は、歯科インプラント３０２、アバットメント３０６、または任意の他の医療用インプラントでもあり得る。この実施形態では、トランスデューサ６０２は、機械力を印加して、応答する機械的振動を歯科クラウン３１０から（例えば、インピーダンスを使用して）検出し、後続の処理のために振動を応答信号に変換し得る。そのため、トランスデューサ６０２トランスデューサは、機械力を歯科クラウン３１０に印加し、機械力に応答して歯科クラウン３１０の動きを検出し、応答信号は、検出された動きに基づいて判断される。この実施形態の変形は、プローブ６００を位置付けるためにレーザー誘導システム６０６を組み込むことである。マーカー６０８が、最初に歯科クラウン３１０上に付けられ得る。レーザーシステム６０６はマーカー６０８を見つけ、プローブはその位置で歯科クラウン３１０と接触して測定のセットを取得する。本プロセスは、図２に関連して前述したコンピュータモデルによって角度剛性をより良く抽出するために使用できる、歯科クラウン３１０全体に対する測定を取得するために複数のマーカーに関して繰り返され得る。
【００９６】
図２６は、プローブ７００のさらなる実施形態を例示する。この実施形態では、プローブ７００は、圧電ブロックなどの、一対のトランスデューサ７０２Ａ、７０２Ｂを、プローブ７００の遠位先端に含む。２つのトランスデューサ７０２Ａ、７０２Ｂは、角度励起（ａｎｇｕｌａｒ  ｅｘｃｉｔａｔｉｏｎ）を生成するために、駆動信号源１１６によるなど、位相を異にして駆動され得る。１つの特定例では、トランスデューサ７０２Ａ、７０２Ｂは、応答信号を生成するために１８０度位相を異にして駆動され得る。インピーダンス値が各トランスデューサ７０２Ａ、７０２Ｂによって測定され得る。測定されたインピーダンスの差は、対象物体の角度剛性に比例する。図２６に示す例では、対象物体は歯科クラウン３１０である。前述のように、対象物体は、歯科インプラント３０２、アバットメント３０６、または任意の他の医療用インプラントでもあり得る。理想的には、２つのトランスデューサ７０２Ａ、７０２Ｂの中心線が歯科クラウン３１０の基部を通るべきであり、この条件で測定された角度剛性は最も正確な測定である。理想的な角度剛性を取得するために、図２４に関連して前述したように、異なる位置で角度剛性測定を実施するために、レーザー誘導システムが使用され得る。理想的な角度剛性値は、これらの測定を理想的な位置に外挿することにより取得できる。この実施形態の変形は、図２３に示すものに類似した周波数応答曲線を測定するために、１つの圧電ブロック７０２Ａをアクチュエータとして、他方、他の圧電ブロック７０２Ｂをセンサーとして使用することである。
【００９７】
図２７は、２つの折れた骨８０２を接合する骨スクリュー８００を例示する。図２７に示す例は折れた歯を例示しているが、システムおよび方法例は、患者の任意の折れた骨に適用し得る。骨スクリュー８００は、キャップ部８０４およびねじ部８０６を有する。キャップ部８０４およびねじ部８０６は、プレロード（ｐｒｅｌｏａｄ）を提供し、折れた骨８０２をしっかり接合して治癒を促進する。骨スクリュー８００を締めて折れた骨８０２を固定した後、取り外し可能なアバットメント８０８が、キャップ部８０４内部の雌ねじ８１０で骨スクリュー８００に取り付けられる。取り外し可能なアバットメント８０８の目的は、測定のための作業空間を提供することである。次いでプローブ８１２（以前の実施形態で前述したいずれかのプローブなど）が取り外し可能なアバットメント８０８に対して位置付けられて、折れた骨８０２の内部に移植された骨スクリュー８００の自然周波数および／または線形剛性係数を測定する。その間、骨スクリュー８００および取り外し可能なアバットメント８０８を含む折れた骨８０２の有限要素モデルが作成される。有限要素モデルの骨特性は、測定された自然周波数および／または測定された線形剛性係数をモデルが予測するように、調整される。次いで、有限要素モデルを使用して骨スクリュー８００のキャップ部８０４における角度剛性を計算する。計算された角度剛性は従って、骨固定の安定性を定量化する。測定後、取り外し可能なアバットメント８０８が除去されて、折れた骨８０２は、骨スクリュー８００の影響下で、周囲の軟部組織による治癒に委ねられる。
【００９８】
Ｆ．コンピュータ可読媒体例
図２８は、実施形態例に従って構成されたコンピュータ可読媒体を示す。実施形態例では、システム例は、１つ以上のプロセッサ、１つ以上の形式のメモリ、１つ以上の入力装置／インタフェース、１つ以上の出力装置／インタフェース、および１つ以上のプロセッサによって実行される場合に、システムに、前述した、様々な関数、タスク、機能などを実行させる、機械可読命令を含み得る。
【００９９】
前述のように、いくつかの実施形態では、開示する方法は、持続性コンピュータ可読記憶媒体上に機械可読形式で、または他の持続性媒体もしくは製品上に、符号化されたコンピュータプログラム命令によって実装できる。図２８は、本明細書で提示する少なくともいくつかの実施形態に従って配置された、コンピューティング装置上でコンピュータプロセスを実行するためのコンピュータプログラムを含むコンピュータプログラム製品例の概念的部分図例示する略図である。
【０１００】
一実施形態では、コンピュータプログラム製品例９００は、信号担持媒体９０２を使用して提供される。信号担持媒体９０２は、１つ以上のプログラミング命令９０４を含み得、それは、１つ以上のプロセッサによって実行される場合に、図に関連して前述した機能または機能の部分を提供し得る。いくつかの例では、信号担持媒体９０２は、コンピュータ可読媒体９０６であり得、例えば、ハードディスクドライブ、コンパクトディスク（ＣＤ）、デジタルビデオディスク（ＤＶＤ）、デジタルテープ、メモリなどであるが、それらに制限されない。いくつかの実施態様では、信号担持媒体９０２は、コンピュータ記録可能媒体９０８であり得、例えば、メモリ、読取り／書込み（Ｒ／Ｗ）ＣＤ、Ｒ／Ｗ  ＤＶＤなどであるが、それらに制限されない。いくつかの実施態様では、信号担持媒体９０２は、通信媒体９１０であり得、例えば、デジタルおよび／またはアナログ通信媒体（例えば、光ファイバーケーブル、導波路、有線通信リンク、無線通信リンクなど）などであるが、それらに制限されない。従って、例えば、信号担持媒体９０２は、無線形式の通信媒体９１０によって伝達できる。
【０１０１】
１つ以上のプログラミング命令９０４は、例えば、コンピュータ実行可能および／または論理実装命令にできる。いくつかの例では、図１のプロセッサ１１２などの、コンピューティング装置は、コンピュータ可読媒体９０６、コンピュータ記録可能媒体９０８、および／または通信媒体９１０の１つ以上によってプロセッサ１１２に伝達されたプログラミング命令９０４に応答して、様々な操作、機能、または動作を提供するように構成される。
【０１０２】
持続性コンピュータ可読媒体は、複数のデータ記憶要素間で分散することもでき、それらは相互に遠く離れて配置できる。格納された命令の一部または全部を実行する装置は、図１に例示するようなプローブ１０４であり得る。代替として、格納された命令の一部または全部を実行する装置は、サーバーサイドのコンピューティング装置であり得る。
【０１０３】
Ｇ．結論
上の詳細な説明は、開示するシステム、装置、および方法の様々な特徴および機能を、添付の図を参照して記述する。図中、文脈で別段の指示がない限り、同様の記号は典型的には、同様の構成要素を識別する。詳細な説明、図、およびクレームで記述する例示的な実施形態は、制限することを意図していない。本明細書で提示する主題の範囲から逸脱することなく、他の実施形態が利用でき、他の変更を行うことができる。本開示の態様は、本明細書で大まかに説明して、図面で例示するように、多種多様な構成で配置、置換、統合、分離、および設計でき、その全部が本明細書で明示的に企図されることが容易に理解されるであろう。
【０１０４】
様々な態様および実施形態が本明細書で開示されているが、他の態様および実施形態が当業者には明らかであろう。本明細書で開示する様々な態様および実施形態は、例示目的であり、制限することを意図しておらず、真の範囲は以下のクレームによって示されている。
【図１】
2020515311.tif 000003
【図２】
2020515311.tif 000004
【図３】
2020515311.tif 000005
【図４】
2020515311.tif 000006
【図５】
2020515311.tif 000007
【図６】
2020515311.tif 000008
【図７】
2020515311.tif 000009
【図８】
2020515311.tif 000010
【図９】
2020515311.tif 000011
【図１０】
2020515311.tif 000012
【図１１】
2020515311.tif 000013
【図１２】
2020515311.tif 000014
【図１３】
2020515311.tif 000015
【図１４】
2020515311.tif 000016
【図１５Ａ】
2020515311.tif 000017
【図１５Ｂ】
2020515311.tif 000018
【図１６】
2020515311.tif 000019
【図１７】
2020515311.tif 000020
【図１８Ａ】
2020515311.tif 000021
【図１８Ｂ】
2020515311.tif 000022
【図１８Ｃ】
2020515311.tif 000023
【図１９】
2020515311.tif 000024
【図２０】
2020515311.tif 000025
【図２１】
2020515311.tif 000026
【図２２】
2020515311.tif 000027
【図２３】
2020515311.tif 000028
【図２４】
2020515311.tif 000029
【図２５】
2020515311.tif 000030
【図２６】
2020515311.tif 000031
【図２７】
2020515311.tif 000032
【図２８】
2020515311.tif 000033
【国際調査報告】
2020515311.tif 000034
2020515311.tif 000035